(57)【特許請求の範囲】
【請求項１】
開口部を有するカップ部と、前記カップ部の一端部に突設して接合される軸部とからなる等速ジョイント用外輪部材の製造方法において、
パイプを切断することで作製されて両端部が開口した管状体の一端部を縮径する工程と、
前記管状体の他端部から縮径された前記一端部に至る途中を起点とし、該起点から前記一端部に至るまで、前記管状体の周方向に沿って互いに等間隔で離間する陥没を複数個形成することにより、その頂面が前記他端部の外周面に同一周面上で連なる膨出部を前記陥没同士の間に形成して前記カップ部とする工程と、
前記カップ部の縮径された前記一端部の開口部に前記軸部を挿入して前記開口部を閉塞した後、前記カップ部と前記軸部とを互いに接合して等速ジョイント用外輪部材とする工程と、
を有し、
前記カップ部中、開口部が残留した前記他端部の外周面を、ブーツバンドを装着するための断面略円形状のフランジ部とすることを特徴とする等速ジョイント用外輪部材の製造方法。
【発明の詳細な説明】
【０００１】
【発明の属する技術分野】
本発明は、等速ジョイントを構成する等速ジョイント用外輪部材の製造方法に関する。
【０００２】
【従来の技術】
従来から、例えば、自動車の動力伝達装置には、駆動されるシャフトの角度に影響されることなく円滑な回転力を得るために、等速ジョイントが採用されている。この種の等速ジョイントとして、ボールベアリングにより回転力を与えるバーフィールドタイプと、少なくとも３個のローラを介して回転力を与えるトリポードタイプとが知られている。
【０００３】
この場合、バーフィールドタイプおよびトリポードタイプの等速ジョイントは、それぞれ、軸部と、この軸部の端部から拡径して一体的に設けられるとともに、その内周面に複数本のトラック溝が形成されたカップ部とにより構成される外輪部材を備えている。
【０００４】
例えば、バーフィールドタイプの等速ジョイントを構成する外輪部材を製造する際には、所定長に切断された棒状部材に対し、前方押し出し成形を施すことにより軸部を形成し、一方、据え込み成形、後方押し出し成形およびしごき成形等の種々の鍛造成形を施すことにより、前記軸部と一体的にカップ部を形成している。
【０００５】
ところで、このような鍛造成形方法を用いて外輪部材を製造した場合、各種の鍛造成形工程の間に、例えば、焼鈍し、ボンデ等の中間処理が必要となり、複数の鍛造成形工程では、複数の中間処理が必要となる。
【０００６】
また、前記鍛造成形では、得られる成形体の成形面の面圧が極めて高いため、外輪部材の肉厚を薄くすることが難しいという問題がある。
【０００７】
そこで、例えば、特開平９−２９３８０号公報には、図８および図９に示されるように、所定寸法に切断された高炭素鋼管材に対して冷間プレスによりその一端部を絞り込んでカップ部１を成形し、前記カップ部１の中心に対して、丸材からロール転造等により成形された軸部２の基端を溶着して前記カップ部１と軸部２とを一体化した後、表面硬化処理を行う技術的思想が開示されている。
【０００８】
【発明が解決しようとする課題】
しかしながら、前記特開平９−２９３８０号公報に開示された技術的思想では、カップ部１のフランジ３に凹凸が形成されているため、蛇腹状の図示しないブーツを締め付けて係止するブーツバンド（図示せず）が前記凹凸形状に対応して特殊な形状となり、従来から使用している一般的なブーツバンドに代替して特殊な形状を有するブーツバンドを製造しなければならないため、製造コストが高騰するという不具合がある。
【０００９】
また、ブーツバンドの締付強度が不足したり、あるいは、カップ部１のフランジ３とブーツとの間の間隙からオイル漏れが発生するおそれがある。
【００１０】
本発明は、前記の不具合を考慮してなされたものであり、従来から一般的に使用されているブーツバンドをそのまま使用することができるとともに、カップ部の肉厚を薄肉に形成して軽量化を図り、しかも製造コストを低減することが可能な等速ジョイント用外輪部材の製造方法を提供することを目的とする。
【００１１】
【課題を解決するための手段】
前記の目的を達成するために、本発明は、開口部を有するカップ部と、前記カップ部の一端部に突設して接合される軸部とからなる等速ジョイント用外輪部材の製造方法において、
パイプを切断することで作製されて両端部が開口した管状体の一端部を縮径する工程と、
前記管状体の他端部から縮径された前記一端部に至る途中を起点とし、該起点から前記一端部に至るまで、前記管状体の周方向に沿って互いに等間隔で離間する陥没を複数個形成することにより、その頂面が前記他端部の外周面に同一周面上で連なる膨出部を前記陥没同士の間に形成して前記カップ部とする工程と、
前記カップ部の縮径された前記一端部の開口部に前記軸部を挿入して前記開口部を閉塞した後、前記カップ部と前記軸部とを互いに接合して等速ジョイント用外輪部材とする工程と、
を有し、
前記カップ部中、開口部が残留した前記他端部の外周面を、ブーツバンドを装着するための断面略円形状のフランジ部とすることを特徴とする。
【００１２】
この場合、前記フランジ部と膨出部の頂面は、同一の曲率半径を有する同一周面に形成される。これにより、カップ部の形状を簡素化して小型化することができる。
【００１３】
本発明によれば、開口部を有するカップ部と、前記カップ部の一端部に突設して接合される軸部とからなる等速ジョイント用外輪部材において、フランジ部を断面略円形状に形成することにより、従来から一般的に使用されているブーツバンドを前記フランジ部に装着することができる。
【００１４】
【発明の実施の形態】
本発明に係る等速ジョイント用外輪部材の製造方法について好適な実施の形態を挙げ、添付の図面を参照しながら以下詳細に説明する。
【００１５】
図１において、参照数字１０は、本実施の形態に係る製造方法によって作製される等速ジョイント用外輪部材を示す。
【００１６】
この等速ジョイント用外輪部材１０は、カップ部１２と軸部１４とから構成され、前記カップ部１２と軸部１４とは溶接等により一体的に結合して形成される。前記カップ部１２の一端部には略円形状の開口部１６が形成され、前記開口部１６の外周面には、ブーツバンド１８（図２参照）を装着するための断面略円形状のフランジ部２０が形成されている。
【００１７】
また、前記カップ部１２には、図３に示されるように、周方向に沿って約１２０度の角度だけ離間し、軸線方向に沿って延在する３つの膨出部２２ａ〜２２ｃが形成され、前記膨出部２２ａ〜２２ｃの内壁面にはトラック溝２４ａ〜２４ｃが形成されている。隣接する膨出部２２ａ〜２２ｃの間には、同心円状からなる円弧部２５ａ〜２５ｃが形成されている。
【００１８】
この場合、フランジ部２０と膨出部２２ａ〜２２ｃの頂面２６は、それぞれ、略同一の曲率半径を有する周面に形成されている。従って、カップ部１２の形状を簡素化して小型化することができる。
【００１９】
前記カップ部１２の他端部は、後述するプレス成形によって絞り込まれることにより、前記膨出部２２ａ〜２２ｃから軸部１４側に向かって徐々に縮径するショルダ部２８が形成されている（図２参照）。
【００２０】
軸部１４は、図６に示されるように、略円柱状からなり、その軸線方向に沿った両端面にそれぞれセンタ穴３０、３２が同軸状に形成され、カップ部１２との接合部位には環状段部３４が形成されている。
【００２１】
次に、本発明の実施の形態に係る等速ジョイント用外輪部材１０の製造方法について以下説明する。
【００２２】
先ず、カップ部１２の製造工程について説明する。
【００２３】
例えば、両端部が開口したパイプ等の管状体３６を所定寸法に切断し（図４Ａ参照）、切断された前記管状体３６に対して中間処理を施す。すなわち、前記管状体３６に対し、焼鈍し処理、ショットブラスト処理およびボンデ処理等の潤滑処理を行う（図４Ｂおよび図４Ｃ参照）。前記中間処理が行われた管状体３６に対してトラック溝およびショルダ部をプレス成形装置３８、４０によってプレス成形した後（図４Ｄおよび図４Ｅ参照）、前記管状体３６の両端面にそれぞれレース加工を行うことによりカップ部１２が形成される（図４Ｆ参照）。
【００２４】
本実施の形態では、薄肉状に形成された管状体３６を用いることにより、等速ジョイント用外輪部材１０の肉厚をより一層薄肉に形成することができる。
【００２５】
次に、前記カップ部１２とは別個に且つ並列的に遂行される軸部１４の製造工程について説明する。
【００２６】
棒状部材４２が所定寸法に切断された円柱体４４に対して（図５Ａ参照）、焼鈍し処理、ショットブラスト処理およびボンデ処理等の中間処理を行った後（図５Ｂおよび図５Ｃ参照）、前記円柱体４４に対して２つの工程からなる鍛造成形が施されることにより成形体４６、４８が得られ（図５Ｄおよび図５Ｅ参照）、さらに、前記成形体４８において、カップ部１２との接合部位に対してレース加工が行われることにより、軸部１４が形成される（図５Ｆ参照）。なお、図６において、二点鎖線は、レース加工を施す前の状態における軸部１４の形状を示している。
【００２７】
このようにしてそれぞれ別個に且つ並列的に製造されたカップ部１２の縮径した一端部に軸部１４を圧入し（図７Ａ）、前記カップ部１２と軸部１４との接合部位を図示しないレーザビーム発生手段から照射されるレーザビーム５０によって溶着することにより、カップ部１２と軸部１４とが一体的に結合される（図７Ｂ参照）。続いて、ブーツバンド１８を装着するためのバンド溝５２のサイジング加工が施された後（図７Ｃ参照）、最後に浸炭処理および研磨処理等が行われることにより（図７Ｄ）、製品としての等速ジョイント用外輪部材１０が完成する。
【００２８】
本実施の形態では、ブーツバンド１８が装着されるカップ部１２のフランジ部２０が断面略円形状に形成されているため、従来から一般的に使用されているブーツバンド１８をそのまま使用することができる。従って、従来技術のように特殊形状のブーツバンドを用いる必要がないため、製造コストを低減することができる。
【００２９】
また、管状体３６を塑性変形させてカップ部１２を形成しているため、前記カップ部１２の肉厚をより一層薄肉にすることにより、軽量化を図ることができる。
【００３０】
【発明の効果】
本発明によれば、以下の効果が得られる。
【００３１】
すなわち、フランジ部を断面略円形状に形成することにより、従来から一般的に使用されているブーツバンドを前記フランジ部に装着することができる。この結果、特殊形状のブーツバンドを製造する必要がないため、製造コストを低減することができる。
【００３２】
また、管状体を塑性変形させてカップ部を形成しているため、前記カップ部の肉厚をより一層薄肉にすることにより、軽量化を図ることができる。
【図面の簡単な説明】
【図１】  本発明の実施の形態に係る等速ジョイント用外輪部材の斜視図である。
【図２】  前記等速ジョイント用外輪部材の軸線方向に沿った部分断面図である。
【図３】  図２のＩＩＩ−ＩＩＩ線に沿った横断面図である。
【図４】  図４Ａ乃至図４Ｆは、それぞれ、カップ部の製造工程を示す説明図である。
【図５】  図５Ａ乃至図５Ｆは、それぞれ、軸部の製造工程を示す説明図である。
【図６】  前記製造工程によって形成された軸部の一部断面図である。
【図７】  図７Ａ乃至図７Ｄは、それぞれ、前記カップ部と前記軸部とを接合して等速ジョイント用外輪部材の製造工程を示す説明図である。
【図８】  従来技術に係る等速ジョイント用外輪部材の一部断面図である。
【図９】  図８に示す等速ジョイント用外輪部材の側面図である。
【符号の説明】
１０…等速ジョイント用外輪部材          １２…カップ部
１４…軸部                              １６…開口部
１８…ブーツバンド                      ２０…フランジ部
２２ａ〜２２ｃ…膨出部                  ２４ａ〜２４ｃ…トラック溝
２５ａ〜２５ｃ…円弧部                  ２６…頂面
２８…ショルダ部                        ３６…管状体
【図１】
0004344425.tif 000002
【図２】
0004344425.tif 000003
【図３】
0004344425.tif 000004
【図４】
0004344425.tif 000005
【図５】
0004344425.tif 000006
【図６】
0004344425.tif 000007
【図７】
0004344425.tif 000008
【図８】
0004344425.tif 000009
【図９】
0004344425.tif 000010